(57)【特許請求の範囲】
【請求項１】
両側のサイド部が中央のセンタ部よりも幅広で且つ該サイド部を腹部前面で重ね合わせて胴部に装着するベルト本体と、ベルト本体のセンタ部における背骨対応部以外の部分にそれぞれ体幹軸と平行で且つベルト本体の長手方向に沿って所定間隔ごとに複数縫製された長尺状剛性体と、サイド部の重ね合わせ面にそれぞれ設けられた着脱係止部材とから成り、
サイド部の幅は、センタ部から上側方向のみに増加し、ベルト本体の下縁部は直線状であることを特徴とする歩行補助ベルト。
【請求項２】
サイド部の幅は、センタ部から漸次増加していることを特徴とする請求項１記載の歩行補助ベルト。
【請求項３】
長尺状剛性体が樹脂製であることを特徴とする請求項１又は請求項２記載の歩行補助ベルト。
【発明の詳細な説明】
【技術分野】
【０００１】
本発明は、高齢者の前屈みを防止して歩行を容易にする歩行補助ベルトに関するものである。
【背景技術】
【０００２】
高齢者の場合、筋力の衰えから、歩行時に上半身が前屈み状態となり、腹部及び胸部が互いに近接して圧迫されるため疲れやすく、長時間の歩行が困難になる。
【０００３】
そのために、高齢者の上半身を強制的に引き起こして歩行を容易にする補強矯正補助具が提案されている。この種の歩行矯正補助具は、胴部に装着するベルトに背当て部材を部材を設け、その背当て部材の上部を肩掛け可能にすると共に、下部に脚部へ掛ける帯状部材を設けて、上半身を強制的に引き起こす構造になっている（例えば、特許文献１参照）。
【０００４】
【特許文献１】特開２００１−１２０６８４号公報
【発明の開示】
【発明が解決しようとする課題】
【０００５】
しかしながら、このような従来の技術にあっては、ベルトに背当て部材や帯状部材を設けるため、構造が複雑で、製造困難である。また、体に掛ける部分が多いため、高齢者には装着が困難である。
【０００６】
本発明はこのような従来の技術に着目してなされたものであり、製造及び装着が容易な歩行補助ベルトを提供することを目的としている。
【課題を解決するための手段】
【０００７】
請求項１記載の発明は、両側のサイド部が中央のセンタ部よりも幅広で且つ該サイド部を腹部前面で重ね合わせて胴部に装着するベルト本体と、ベルト本体のセンタ部における背骨対応部以外の部分にそれぞれ体幹軸と平行で且つベルト本体の長手方向に沿って所定間隔ごとに複数縫製された長尺状剛性体と、サイド部の重ね合わせ面にそれぞれ設けられた着脱係止部材とから成ることを特徴とする。
【０００８】
請求項２記載の発明は、サイド部の幅はセンタ部から漸次増加していることを特徴とする。
【０００９】
請求項３記載の発明は、サイド部の幅はセンタ部から上側方向のみに増加し、ベルト本体の下縁部は直線状であることを特徴とする。
【００１０】
請求項４記載の発明は、長尺状剛性体が樹脂製であることを特徴とする。
【発明の効果】
【００１１】  請求項１記載の発明によれば、胴部に装着するベルト本体を基本にした構造のため、製造が容易で且つ装着も腹部前面で両サイド部を重ね合わせるだけで済み容易である。腹部前面に幅広のサイド部が位置し、ベルト本体の上縁部で胸部を支えるため、上半身の前屈みが防止され、腹部及び胸部が互いに近接して圧迫されることがなく、疲れにくい。そのため、長時間の歩行が容易になる。ベルト本体には体幹軸と平行な（上下に真っ直ぐな）に長尺状剛性体が縫製されているため、ベルト本体自体が大きく屈曲することはなく、上半身の前屈みを確実に防止することができる。背骨対応部には長尺状剛性体が存在しないため、背骨と長尺状剛性体との干渉がなく、装着感も良い。前屈みの防止に必要なサイド部が幅広で、背面に対応するセンタ部は幅が狭いため、全体を幅広に形成する場合に比べて、軽量化を図ることができる。【００１２】サイド部の幅はセンタ部から上側方向のみに増加するため、ベルト本体の下縁部は直線状となり、ベルト本体の腰部への当接感が向上する。ベルト本体の上縁部は背面側で高さ位置が変位しても、背面側の上縁部は前屈み傾向にある胴部と強く当接しないため、装着感に影響しない。【００１３】  請求項２記載の発明によれば、サイド部の幅はセンタ部から漸次増加しているため、ベルト本体の縁部が連続的に変化し、装着感が更に向上する。【００１４】請求項３記載の発明によれば、長尺状剛性体が樹脂製であるため、金属製に比べて軽量化を図ることができる。
【発明を実施するための最良の形態】
【００１５】
本発明の好適な実施形態を図１〜図５に基づいて説明する。尚、図１は幅方向（上下寸法）Ａを、長手方向（左右方向）Ｂに対して比率を拡大して図示している。
【００１６】
この実施形態に係る歩行補助ベルト１は、基本的に布製のベルト本体２から構成されている。ベルト本体２を構成する布部材は伸縮性の小さい素材を選択して形成されている。装着時に適度な締め付け感が得られる程度の伸縮性を有している程度である。
【００１７】
このベルト本体２は、中央のセンタ部２と、その両側のサイド部４とから構成されている。センタ部２の幅Ｗ１は１７ｃｍで、サイド部４の幅Ｗ２は２０ｃｍである。ベルト本体２の全体の長さは１００ｃｍで、センタ部２は３０ｃｍで、サイド部４はそれぞれ３５ｃｍである。
【００１８】
サイド部４は上縁部５だけがセンタ部２から徐々に上側へ傾斜しており、下縁部６はベルト本体２の長手方向Ｂに渡って直線状である。
【００１９】
両方のサイド部４には、一方の表面側に着脱係止部材としての面ファスナー７が取付けられ、他方の裏面側には対応する面ファスナー８が取付けられている。面ファスナー７、８は互いに押し付けることにより係止し、剥離方向へ力を加わえることにより離脱する着脱構造になっている。
【００２０】
ベルト本体２には、長手方向に沿って合計１３本の長尺状剛性体９、９ａが縫製されている。長尺状剛性体９、９ａは塩化ビニルやポリプロピレン製の汎用樹脂にて形成されている。長尺状剛性体９、９ａは全て長手方向に対して直角の方向で形成されている。つまり、装着時に胴部Ｍの体幹軸Ｓと平行になるように形成されている。
【００２１】
長尺状剛性体９は、センタ部２の中央の背骨対応部１０を除いて左右に６本づつ縫製され、裏面側の面ファスナー７に対応する部分だけに１本の長尺状剛性体９ａが縫製され、合計１３本になっている。長尺状剛性体９、９ａの上下寸法はベルト本体２の上縁部５の形状に合わせて変化している。背骨対応部１０の長さは２０ｃｍである。
【００２２】
面ファスナー７に対応する長尺状剛性体９ａ以外の１２本の長尺状剛性体９は、全て表面側に突出状態でベルト本体２に縫製され、裏面側（胴部Ｍ側）には突起しないようにされている。面ファスナー７に対応する長尺状剛性体９ａだけ、面ファスナー７を平坦にするために、裏面側に突出している。
【００２３】
このような構造の歩行補助ベルト１を胴部Ｍに装着する場合には、ベルト本体２の両側のサイド部４を手でもって、胴部Ｍの背面側から当てて、両サイド部４を腹部前面で少し引っ張りながら重ね合わせる。そうすると、両サイド部４の面ファスナー７、８同士が係止し、胴部Ｍに装着された状態が維持される。面ファスナー７、８は互いに平坦なので結合力が高い。
【００２４】
装着された歩行補助ベルト１は、両サイド部４がセンタ部２によりも幅広のため、胴部Ｍの前面及び側面に対応する部分は幅広のサイド部４となり、背面に対応する部分はそれよりも狭いセンタ部２となる。
【００２５】
腹部前面に幅広のサイド部４が位置するため、ベルト本体２の上縁部５で胸部を支えることができる。従って、上半身の前屈みが防止され、腹部及び胸部が互いに近接して圧迫されることがないため、疲れにくくなり、長時間の歩行が容易になる。
【００２６】  ベルト本体２には体幹軸Ｓと平行な（上下に真っ直ぐな）に長尺状剛性体９、９ａが縫製されているため、ベルト本体２自体が大きく屈曲することはなく、上半身の前屈みを確実に防止することができる。背骨対応部１０には長尺状剛性体９が存在しないため、背骨と長尺状剛性体９が干渉することもなく、装着感も良い。前屈みの防止に必要なサイド部４が幅広で、背面に対応するセンタ部２は幅が狭いため、全体を幅広に形成する場合に比べて、軽量化を図ることができる。尚、長尺状剛性体９を樹脂で形成したことも軽量化に寄与している。【００２７】
サイド部４の方が幅広に形成されているが、上縁部５だけが徐々に傾斜した状態で変位するため、上縁部５における前面及び側面での装着感は良い。尚、背面側の上縁部５は前屈み傾向にある胴部Ｍと強く当接しないため、装着感に影響しない。そして、ベルト本体２の下縁部６は直線状となっているため、腰部への当接感が向上する。
【００２８】
更に、一方の面ファスナー７に対応する長尺状剛性体９ａを除き、全ての長尺状剛性体９が表面側に突出しており、裏面側（胴部Ｍ側）には突出していないため、胴部Ｍに対する装着感も良い。
【００２９】
この実施形態の歩行補助ベルト１は、以上説明したように、胴部Ｍに装着するベルト本体２を基本にした構造のため、製造が容易で且つ装着も腹部前面で両サイド部４を重ね合わせるだけで済み容易である。
【図面の簡単な説明】
【００３０】
【図１】この実施形態に係る歩行補助ベルトを示す側面図。
【図２】図１中矢示ＳＡ−ＳＡ線に沿う歩行補助ベルトの断面図。
【図３】サイド部の重ね合わせ部を示す断面図。
【図４】装着状態の歩行補助ベルトを示す前面図。
【図５】装着状態の歩行補助ベルトを示す後面図。
【符号の説明】
【００３１】
１  歩行補助ベルト
２  ベルト本体
３  センタ部
４  サイド部
５  上縁部
６  下縁部
７、８  面ファスナー（着脱係止部材）
９、９ａ  長尺状剛性体
１０  背骨対応部
Ａ  幅方向
Ｂ  長手方向
Ｍ  胴部
Ｓ  体幹軸
【図１】
0004865766.tif 000002
【図２】
0004865766.tif 000003
【図３】
0004865766.tif 000004
【図４】
0004865766.tif 000005
【図５】
0004865766.tif 000006